(57)【要約】【課題】配線ルートの省スペース化を図ること。【解決手段】本開示に係る遊技機１０は、第１配線Ｌ１と、第１配線Ｌ１とは異なる第２配線Ｌ２を有する。第１配線Ｌ１の配線ルートは、機構枠１７の後面に設けられた第１配線ルート形成部７１によって形成される。第１配線Ｌ１の配線ルートは、機構枠１７に取り付けられる配線カバー４０によって後側から覆われる。そして、配線カバー４０の後面に、第２配線Ｌ２の配線ルートを形成する第２配線ルート形成部８１が設けられている。【選択図】図７
2020032006.tif 000002
【特許請求の範囲】
【請求項１】
第１配線と、
前記第１配線とは異なる第２配線と、を有する遊技機において、
前記第１配線の配線ルートと前記第２配線の配線ルートを１つの部材の表側と裏側に備えた、遊技機。
【請求項２】
前記１つの部材は、前記第１配線の配線ルートを覆う配線カバーであって、
前記配線カバーのうち前記第１配線の配線ルートと反対側を向く表側部分に、前記第２配線の配線ルートを形成する第２配線ルート形成部が設けられている、請求項１に記載の遊技機。
【請求項３】
前記配線カバーが組み付けられるベース部材を有し、
前記ベース部材のうち前記配線カバーで覆われる部分に、前記第１配線の配線ルートを形成する第１配線ルート形成部が設けられている、請求項２に記載の遊技機。
【請求項４】
前記配線カバーは、
前記ベース部材に重ねられる主壁と、
前記主壁における表側を向く面から突出した複数の突壁と、を有し、
前記複数の突壁には、前記第２配線を幅方向に挟んで前記第２配線を所定の方向に延在させる複数のガイド壁が含まれ、
前記第２配線ルート形成部は、前記複数のガイド壁によって構成されている、請求項３に記載の遊技機。
【請求項５】
前記主壁には、前記第２配線を束ねるための結束バンドが取り付けられている、請求項４に記載の遊技機。
【請求項６】
前記結束バンドは、前記第２配線を結束する結束状態と、前記第２配線の結束を解除する解除状態と、に可逆的に変化する、請求項５に記載の遊技機。
【請求項７】
前記配線カバーは、
前記ベース部材に重ねられる主壁と、
前記主壁から前記ベース部材に向かって突出して前記ベース部材に突き当てられる突当壁と、を有する、請求項３乃至６のうち何れか１項に記載の遊技機。
【請求項８】
前記配線カバーと前記ベース部材との間に、前記第１配線ルート形成部に前記第１配線を引き回すための又は前記第１配線ルート形成部から前記第１配線を引き出すための出入口が形成されている、請求項７に記載の遊技機。
【発明の詳細な説明】
【技術分野】
【０００１】
本開示は、遊技機に関する。
【背景技術】
【０００２】
特許文献１には、複数の配線ルートを独立して備える遊技機が示されている。
【先行技術文献】
【特許文献】
【０００３】
【特許文献１】特開２０１４−２００５０６号（段落［０１１１］）
【発明の概要】
【発明が解決しようとする課題】
【０００４】
特許文献１の遊技機では、配線ルートの省スペース化が求められている。
【課題を解決するための手段】
【０００５】
上記課題を解決するためになされた請求項１の発明は、第１配線と、前記第１配線とは異なる第２配線と、を有する遊技機において、前記第１配線の配線ルートと前記第２配線の配線ルートを１つの部材の表側と裏側に備えた、遊技機である。
【発明の効果】
【０００６】
配線ルートの省スペース化が図られる。
【図面の簡単な説明】
【０００７】
【図１】本開示の一実施形態に係る遊技機の正面図
【図２】遊技盤の正面図
【図３】機構枠の前方斜視図
【図４】遊技機の背面図
【図５】遊技機の電気的構成を示すブロック図
【図６】機構枠の背面図
【図７】機構枠の一部破断斜視図
【図８】配線カバーと主盤の後方斜視図
【図９】配線カバーが取り付けられた主盤の後方斜視図
【図１０】主盤の第１配線ルート形成部周辺の背面図
【図１１】配線カバーの後方斜視図
【図１２】配線カバーの前方斜視図
【図１３】配線カバーの背面図
【図１４】機構枠のを側方から見た斜視図
【図１５】図１４の配線出入口周辺の拡大図
【図１６】結束バンドの（Ａ）閉環状態の断面図、（Ｂ）開環状態の断面図
【発明を実施するための形態】
【０００８】
図１に示されるように、本実施形態の遊技機１０は、図２に示される遊技盤１１を前面枠１０Ｚで覆ってなり、その前面枠１０Ｚに形成されたガラス窓１０Ｗを通して、遊技盤１１の前面側に形成された遊技領域Ｒ１の全体が視認可能となっている。遊技領域Ｒ１は、遊技盤１１の前面から突出した略円形のガイドレール１２に囲まれている（図２参照）。なお、以下の説明において、特記しない限り「右」及び「左」とは、遊技機１０を前方から見た場合の「右」及び「左」を指すものとする。
【０００９】
図１に示されるように、前面枠１０Ｚのうちガラス窓１０Ｗの周囲には、装飾ランプ２２が設けられている。また、前面枠１０Ｚのうちガラス窓１０Ｗの上方の両側には、スピーカー２５，２５が備えられている。
【００１０】
前面枠１０Ｚのうちガラス窓１０Ｗより下方には、上皿２６と下皿２７が上下２段にして設けられ、下皿２７の右側には、発射用ハンドル２８が備えられている。そして、発射用ハンドル２８が回動操作されると、上皿２６に収容された遊技球が発射装置（図示せず）によって１球ずつ遊技領域Ｒ１に向けて弾き出される。
【００１１】
図２に示されるように、遊技盤１１のうち遊技領域Ｒ１の中央には、表示開口１１Ｈが貫通形成されていて、その表示開口１１Ｈに遊技盤１１の裏面側から表示装置１３が対向している。表示装置１３は、例えば、液晶モジュールで構成され、遊技に関する演出を行う表示画面１３Ｇを前面に有する。
【００１２】
遊技盤１１の前面中央には、表示画面１３Ｇを囲むように表示装飾枠２３が取り付けられている。表示装飾枠２３は、遊技盤１１の前面側から表示開口１１Ｈに嵌め込まれると共に、遊技盤１１の前面より前側に突出している。これにより、遊技領域Ｒ１を流下する遊技球が、表示装飾枠２３を乗り越えて表示装飾枠２３の内側に進入することが規制されている。
【００１３】
遊技領域Ｒ１のうち表示装飾枠２３の右側部分には、始動ゲート１８が設けられている。始動ゲート１８は、遊技領域Ｒ１を流下する遊技球が潜って通過可能な門形状に形成されている。始動ゲート１８を遊技球が通過すると、普通図柄当否判定が行われる。
【００１４】
遊技領域Ｒ１のうち表示装飾枠２３の下側部分における横方向の中央部には、第１始動入賞口１４Ａが設けられている。第１始動入賞口１４Ａは、遊技球が１つずつ入球可能な大きさの開口を上部に有するポケット構造をなして、常時開放している。
【００１５】
第１始動入賞口１４Ａの下方には、第２始動入賞口１４Ｂが設けられている。第２始動入賞口１４Ｂは、前側に開放し、回動扉１４Ｔによって開閉される。具体的には、回動扉１４Ｔは、通常は、鉛直に起立した閉位置に配置され、上述の普通図柄当否判定で当りになると、下端部を中心に回動し、前倒しとなった開位置に配置される。開位置に配置された回動扉１４Ｔは、上方から流下する遊技球を受け止めて第２の始動入賞口１４Ｂへと案内する。
【００１６】
各始動入賞口１４Ａ，１４Ｂに遊技球が入球すると、所定数の遊技球が賞球として上皿２６（図１参照）に払い出されると共に、特別図柄当否判定が行われる。特別図柄当否判定の結果は、表示画面１３Ｇに表示される。特別図柄当否判定で当りになると、遊技状態が大当り遊技状態になって、大当り遊技が実行される。
【００１７】
遊技領域Ｒ１のうち表示装飾枠２３の右下部分には、可動扉１５ＡＴによって開閉される第１大入賞口１５Ａが設けられている。また、表示装飾枠２３の右側部には、可動翼片１５ＢＨによって開閉される第２大入賞口１５Ｂが設けられている。第１大入賞口１５Ａ又は第２大入賞口１５Ｂは、大当り遊技中に開放される。第１大入賞口１５Ａ又は第２大入賞口１５Ｂに遊技球が入球すると、所定数の遊技球が賞球として上皿２６（図１参照）に払い出される。大当り遊技では、予め設定された回数だけ第１大入賞口１５Ａ又は第２大入賞口１５Ｂが開放されるラウンド遊技が、大当り遊技の種類に応じた回数だけ実行される。１回のラウンド遊技は、予め定められた上限数の遊技球が第１大入賞口１５Ａ又は第２大入賞口１５Ｂに入球するか又は予め設定されたラウンド遊技時間が経過すると、終了する。
【００１８】
遊技領域Ｒ１には、第１始動入賞口１４Ａ、第２始動入賞口１４Ｂ、第１大入賞口１５Ａ及び第２大入賞口１５Ｂのほか複数の一般入賞口２０が設けられている。一般入賞口２０は、第１始動入賞口１４Ａと同様のポケット構造をなして、常時開放している。一般入賞口２０に遊技球が入球すると、所定数の遊技球が賞球として上皿２６（図１参照）に払い出される。また、遊技領域Ｒ１には、何れの入賞口１４Ａ，１４Ｂ，１５Ａ，１５Ｂ，２０にも入球しなかった遊技球を外部に排出するためのアウト口１６が備えられている。
【００１９】
遊技盤１１の後側には、図３に示される機構枠１７が備えられている。機構枠１７は、遊技盤１１と略平行に配置される矩形枠状の主盤１７Ａと、主盤１７Ａの外縁部から前方に突出する包囲壁１７Ｈと、からなる。なお、上述した表示装置１３（図２参照）は機構枠１７の後側に配置され、表示装置１３の表示画面１３Ｇは、主盤１７Ａの中央開口１７Ｋと遊技盤１１の表示開口１１Ｈとを通して遊技者に視認可能となっている。機構枠１７には、種々の可動役物装置Ｓが組み付けられている。
【００２０】
図４に示されるように、遊技機１０の後部には、各種制御回路が備えられている。具体的には、遊技機１０の後部中央には、主制御回路５０が設けられ、この主制御回路５０の上方には、音声制御回路５５、サブ制御回路５２等が設けられている。さらに、各制御回路５０，５２，５５の下方には、遊技球の払い出しを制御する払出制御回路５８及び電源基板６０が備えられている。各制御回路は、電源基板６０から電源供給を受けて作動する。
【００２１】
図５には、遊技機１０の電気的な構成の概略が示されている。同図において、符号５０は、主制御回路５０であって、ＣＰＵ５０Ａ、ＲＡＭ５０Ｂ、ＲＯＭ５０Ｃ及び複数のカウンタを備えたマイクロコンピュータと、該マイクロコンピュータとサブ制御回路５２を結ぶ入出力回路と、大入賞装置等が接続された中継回路５７及び払出制御回路５８等を結ぶ入出力回路とを備え、遊技に関わる主制御を行う。ＣＰＵ５０Ａは、当否判定部、制御部、演算部、各種カウンタ、各種レジスタ、各種フラグ等を備え、演算制御を行う他、特別図柄当否判定や普通図柄当否判定に関する乱数等も生成し、制御信号をサブ制御回路５２等へ出力（送信）可能に構成されている。ＲＡＭ５０Ｂは、ＣＰＵ５０Ａで生成される各種乱数値用の記憶領域、各種データを一時的に記憶する記憶領域やフラグ、ＣＰＵ５０Ａの作業領域を備える。ＲＯＭ５０Ｃには、制御データ、特別図柄及び普通図柄の変動表示に関する図柄変動データ等が書き込まれている他、特別図柄当否判定及び普通図柄当否判定の判定値等が書き込まれている。
【００２２】
サブ制御回路５２は、主制御回路５０と同様に、ＣＰＵ５２Ａ、ＲＡＭ５２Ｂ、ＲＯＭ５２Ｃ及び複数のカウンタを備えたマイクロコンピュータと、該マイクロコンピュータと主制御回路５０を結ぶ入出力回路と、ランプ制御回路５３、表示制御回路５４、音声制御回路５５、各種可動役物装置Ｓ等を結ぶ入出力回路を備えている。ＣＰＵ５２Ａは、制御部、演算部、各種カウンタ、各種レジスタ、各種フラグ等を備え、演算制御を行う他、制御信号をランプ制御回路５３、表示制御回路５４、音声制御回路５５、各種可動役物装置Ｓ等へ出力（送信）可能に構成されている。ＲＡＭ５２Ｂは、各種データの記憶領域とＣＰＵ５２Ａによる作業領域を有している。ＲＯＭ５２Ｃには、各種演出のデータ等が記憶されている。なお、サブ制御回路５２は、中継回路を介して音声制御回路５３、表示制御回路５４、ランプ制御回路５５又は各種可動役物装置Ｓに接続されてもよい。
【００２３】
ランプ制御回路５３は、装飾ランプ２２、役物に搭載された役物装飾ランプ等のランプに接続され、サブ制御回路５２から出力されたランプの制御信号を中継するための基板である。
【００２４】
表示制御回路５４は、表示装置１３に設けられていて、ＣＰＵ、ＲＡＭ及びＲＯＭを有している。表示制御回路５４のＣＰＵは、サブ制御回路５２から出力される制御信号に基づき、画像データをＲＯＭから取得し、その画像データに基づいて表示画面１３Ｇに画像を表示する。
【００２５】
音声制御回路５５は、サブ制御回路５２から出力される制御信号に基づき、スピーカー２５，２５から発生される楽曲や音声の選択を行い、音声を制御する。
【００２６】
図６に示されるように、機構枠１７の主盤１７Ａの後面には、種々の配線Ｌが取り回されている。配線Ｌの例としては、サブ制御回路５２と可動役物装置Ｓを接続するもの、ランプ制御回路５５と各種ランプを接続するもの、中継回路５７と各種センサ等を接続するもの等が挙げられる（図５参照）。配線Ｌは、１本のケーブルで構成されてもよいし、複数本のケーブルで構成されてもよい。
【００２７】
図７、図８及び図９に示されるように、種々の配線Ｌのうち第１配線Ｌ１は、配線カバー４０によって後側を覆われている。配線カバー４０は、機構枠１７の主盤１７Ａの後面に取り付けられる。詳細には、第１配線Ｌ１は、主盤１７Ａの側辺部（具体的には、主盤１７Ａの右辺部）に沿って延在し、配線カバー４０は、縦長に形成されて、主盤１７Ａの側辺部に重ねて固定される。なお、図７では、断面が薄灰色に表されている。
【００２８】
図８及び図１０に示されるように、主盤の１７Ａの側辺部（具体的には、右辺部）の後面には、第１配線Ｌ１の配線ルートを形成するための第１配線ルート形成部７１が設けられている。本実施形態では、第１配線ルート形成部７１は、主盤１７Ａの側辺部の全体に亘って配置されている。そして、第１配線Ｌ１は、主盤１７Ａの上辺部に取り付けられた上側中継基板７５と、主盤１７Ａの下辺部に取り付けられた下側中継基板７６（図６参照）を連絡している。
【００２９】
第１配線ルート形成部７１は、主盤１７Ａの後面から突出して第１配線Ｌ１を幅方向に挟む複数のガイド突部７２を備えている。複数のガイド突部７２は、主盤１７Ａの側辺に沿って延在している。また、第１配線ルート形成部７１は、複数のガイド突部７２に挟まれた第１配線Ｌ１の主盤１７Ａからの浮き上がりを抑制する複数の配線押さえ７３を備えている。配線押さえ７３は、例えば、ガイド突部７２から片持ち梁状に突出する突片により構成されている。
【００３０】
図１１及び図１２に示されるように、配線カバー４０は、主盤１７Ａの側辺に沿って長くなった帯板状をなして主盤１７Ａの側辺部に重ねられるプレート部４１を有する。なお、以下では、カバープレート４１の主盤１７Ａに臨む側を裏側と呼び、主盤１７Ａと反対側を表側と呼ぶことにする。
【００３１】
プレート部４１には、長手方向の一端部を主盤１７Ａから遠ざける段差４１Ｄが備えられていて、プレート部４１の一端部が主盤１７Ａから遠ざかるように迫上がる迫上部４１Ｓとなっている。なお、主盤１７Ａにおいて迫上部４１Ｓと重なる部分は、後側に段付き状に突出した段状突部１７ＡＴになっていて、迫上部４１Ｓは、段状突部１７ＡＴとの間に、第１配線Ｌ１の配線ルートを確保している（図７参照）。
【００３２】
図１１及び図１２に示されるように、プレート部４１の側縁部には、切欠部４２が形成されている。切欠部４２は、主盤１７Ａに突設された位置決め突部４２Ｔ（図８参照）を受容する。位置決め突部４２Ｔと切欠部４２が凹凸係合することで、主盤１７Ａに対して配線カバー４０が位置決めされる（図１５参照）。具体的には、位置決めリブ４２Ｔは、配線カバー４０の長手方向と交差する方向に延在するリブによって構成されている。切欠部４２は、プレート部４２の長手方向と交差する方向に延びている。
【００３３】
図１１に示されるように、プレート部４１の表側の面からは、複数の突壁４６が起立している。複数の突壁４６のうち一部の突壁４６は、プレート部４１の外周部に沿って配置される外壁４６Ｇとなっている。
【００３４】
図１２に示されるように、プレート部４１の裏面からは、複数の突当壁４３が突出している。突当壁４３は、主盤１７Ａに突き当てられて、配線カバー４０と主盤１７Ａとの間に第１配線Ｌ１の配線ルートを形成するためのスペースを確保する（図１４参照）。
【００３５】
図１４及び図１５に示されるように、配線カバー４０と主盤１７Ａとの間には、第１配線ルート形成部７１に第１配線Ｌ１を引き回したり、第１配線ルート形成部７１から第１配線Ｌ１を引き出したりするための配線出入口４５が形成されている。具体的には、プレート部４１の側縁部には、複数の突当壁４３が間隔をあけて配置されている。そして、その側縁部における突当壁４３どうしの間に、配線出入口４５が形成されている。この構成によれば、配線出入口４５の高さを突当壁の高さ以上にすることが可能となる。なお、配線出入口４５を通って第１配線ルート形成部７１から引き出された第１配線Ｌ１は、主盤１７Ａより前側に取り回されて、主盤１７Ａの前面又は包囲壁１７Ｈに組み付けられた部材（例えば、発光基板や役物の駆動源、センサ等）に接続される。
【００３６】
図１１及び図１３に示されるように、配線カバー４０の表側には、第２配線Ｌ２の配線ルートを形成するための第２配線ルート形成部８１が設けられている。第２配線ルート形成部８１は、プレート部４１の長手方向に沿って延在して第２配線Ｌ２を幅方向に挟む複数のガイド壁８２を備えている。複数のガイド壁８２は、上述の複数の突壁４６のうち一部複数の突壁４６によって構成されている。また、第２配線ルート形成部８１は、複数のガイド壁８２に挟まれた第２配線Ｌ２のプレート部４１からの浮き上がりを抑制する複数の配線押さえ８３を備えている。配線押さえ８３は、例えば、ガイド壁８２から片持ち梁状に突出する突片により構成されている。
【００３７】
図１３に示されるように、配線カバー４０の表側には、第２配線Ｌ２（詳細には、第２配線Ｌ２に含まれる複数のケーブル）を束ねるための結束バンド８５が取り付けられている。図１６（Ａ）に示されるように、結束バンド８５は、支持脚部８５Ａの上に環状のバンド本体８５Ｂを備えてなる。結束バンド８５は、プレート部４１に形成された結束バンド取付孔８４（図１１参照）に支持脚部８５Ａが差し込まれて抜け止めされることで、配線カバー４０に取り付けられている。なお、結束バンド８５には、結束バンド取付孔８４に差し込まれた支持脚部８５をプレート部４１に押し付けるための押圧片８６が備えられている。
【００３８】
結束バンド８５は、図１６（Ａ）に示される閉環状態と図１６（Ｂ）に示される開環状態とに可逆的に変化する。具体的には、結束バンド８５のバンド本体８５Ｂは、帯材を折り曲げて形成され、図１６（Ａ）の閉環状態では、帯材の一端部に形成された係止爪８７Ｂが、他端部に形成された係止孔８７Ａの開口縁に係止する。そして、係止爪８７Ｂが係止孔８７Ａから外れると、結束バンド８５が図１６（Ｂ）の開環状態となる。なお、係止爪８７Ｂは、帯材を折り返してなる弾性片８８に形成され、係止孔８７Ａには、弾性片８８が挿通される。
【００３９】
本実施形態の遊技機１０では、機構枠１７の主盤１７Ａの後面に、第１配線Ｌ１の配線ルートを形成する第１配線ルート形成部７１が設けられている。また、第１配線Ｌ１の配線ルートを後側から覆う配線カバー４０の表側の面には、第２配線Ｌ２の配線ルートを形成する第２配線ルート形成部８１が設けられている。従って、遊技機１０では、第１配線Ｌ１の配線ルートと第２配線Ｌ２の配線ルートが、配線カバー４０の表側と裏側に重ねられることになる。
【００４０】
このように、本実施形態の遊技機１０では、第１配線Ｌ１と第２配線Ｌ２の配線ルートが重ねられるので、配線ルートの省スペース化が図られる。しかも、第２配線Ｌ２の配線ルートを形成する第２配線ルート形成部８１を、第１配線Ｌ１の配線ルートを覆う配線カバー４０に設けることで、第１配線Ｌ１の配線ルートを覆う配線カバー４０の有効利用が図られる。
【００４１】
また、第１配線Ｌ１の配線ルートを形成する第１配線ルート形成部７１は、配線カバー４０が組み付けられる機構枠１７の主盤１７Ａの背面に設けられている。従って、主盤１７Ａの第１配線ルート形成部７１に第１配線Ｌ１を取り回してから、主盤１７Ａに配線カバー４０を組み付け、その後、配線カバー４０の第２配線ルート形成部８１に第２配線Ｌ２を取り回すことが可能となり、作業効率の向上が図られる。
【００４２】
また、本実施形態の遊技機１０では、第２配線を束ねるための結束バンド８５が、結束状態と解除状態とに可逆的に変化するので、第２配線Ｌ２を第２配線ルート形成部８１から着脱自在となり、配線カバー４０の主盤１７Ａの組み付けや第２配線ルート形成部８１への第２配線Ｌ２の取り回しが容易となる。
【００４３】
［他の実施形態］
（１）上記実施形態において、配線カバー４０に取り付けられる結束バンド８５は、結束状態と解除状態とに可逆的に変化せず、いったん結束状態になると、解除状態に復帰不能に構成されてもよい。
【００４４】
（２）上記実施形態において、配線カバー４０に結束バンド取付孔８４を備えずに、配線カバー４０に結束バンド８５が組み付けられていない構成としてもよい。
【００４５】
（３）上記実施形態において、第２配線Ｌ２の配線ルートを覆う配線カバーを備えて、その配線カバーの表側に、第１配線Ｌ１とも第２配線Ｌ２とも異なる配線Ｌの配線ルートを形成してもよい。
【００４６】
（４）上記実施形態において、第１配線ルート形成部７１が、複数のガイド突部７２を備える代わりに、第１配線Ｌ１を幅方向に挟む複数のガイドピンを備えてもよい。
【００４７】
（５）上記実施形態において、配線カバー４０のプレート部４１は、主盤１７Ａの後面との間に一定間隔以上の隙間を形成すればよく、主盤１７Ａの後面のうち配線カバー４０で覆われる部分に凹凸が形成されている場合には、プレート部４１は、その凹凸に沿った形状に形成されればよい。従って、主盤１７Ａが段状突部１７ＡＴを備えない場合には、プレート部４１に段差部４１Ｄが形成されなくてもよい。
【００４８】
（６）上記実施形態において、主盤１７Ａにおける第１配線ルート形成部７１の配置は、適宜変更されてもよく、主盤１７Ａの左辺部、下辺部又は上辺部に形成されてもよいし、２つ以上の辺部に亘って形成されてもよい。
【００４９】
（７）上記実施形態において、主盤１７Ａに第１配線ルート形成部７１を設けずに、配線カバー４０の裏側に、第２配線ルート形成部８１と同様にして、第１配線Ｌ１の配線ルートを形成するための第１配線ルート形成部を設けてもよい。このような構成としても配線ルートの省スペース化が図られる。
【００５０】
以下、上記実施形態から抽出される特徴について、必要に応じて効果等を示しつつ説明する。なお、理解の容易のため、上記実施形態において対応する構成を括弧書き等で適宜示すが、この括弧書き等で示した具体的構成に限定されるものではない。
【００５１】
＜特徴Ａ群＞
以下の特徴Ａ群は、遊技機に関し、「特許文献Ａ（特開２０１４−２００５０６号（段落［０１１１］））には、複数の配線ルートを独立して備える遊技機が示されている。」という背景技術について、「特許文献Ａの遊技機では、配線ルートの省スペース化が求められている。」という課題をもってなされたものである。
【００５２】
［特徴Ａ１］
第１配線（第１配線Ｌ１）と、
前記第１配線とは異なる第２配線（第２配線Ｌ２）と、を有する遊技機（遊技機１０）において、
前記第１配線の配線ルートと前記第２配線の配線ルートを１つの部材（配線カバー４０）の表側と裏側に備えた、遊技機。
【００５３】
本特徴に示す構成では、２つの配線の配線ルートが重ねられるので、配線ルートの省スペース化が図られる。
【００５４】
［特徴Ａ２］
前記１つの部材は、前記第１配線の配線ルートを覆う配線カバー（配線カバー４０）であって、
前記配線カバーのうち前記第１配線の配線ルートと反対側を向く表側部分に、前記第２配線の配線ルートを形成する第２配線ルート形成部（第２配線ルート形成部８１）が設けられている、特徴Ａ１に記載の遊技機。
【００５５】
本特徴に示す構成では、第１配線の配線ルートを覆う配線カバーを利用して第２配線の配線ルートを形成することが可能となる。
【００５６】
［特徴Ａ３］
前記配線カバーが組み付けられるベース部材（機構枠１７の主盤１７Ａ）を有し、
前記ベース部材のうち前記配線カバーで覆われる部分に、前記第１配線の配線ルートを形成する第１配線ルート形成部（第１配線ルート形成部７１）が設けられている、特徴Ａ２に記載の遊技機。
【００５７】
本特徴に示す構成では、ベース部材の第１配線ルート形成部に第１配線を取り回してから、ベース部材に配線カバーを組み付け、その後、配線カバーの第２配線ルート形成部に、第２配線を取り回すことが可能となる。
【００５８】
［特徴Ａ４］
前記配線カバーは、
前記ベース部材に重ねられる主壁（プレート部４１）と、
前記主壁における表側を向く面から突出した複数の突壁（突壁４６）と、を有し、
前記複数の突壁には、前記第２配線を幅方向に挟んで前記第２配線を所定の方向に延在させる複数のガイド壁（ガイド壁８２）が含まれ、
前記第２配線ルート形成部は、前記複数のガイド壁によって構成されている、特徴Ａ３に記載の遊技機。
【００５９】
本特徴に示す構成では、第２配線ルート形成部を簡易な構成とすることが可能となる。
【００６０】
［特徴Ａ５］
前記主壁には、前記第２配線を束ねるための結束バンド（結束バンド８５）が取り付けられている、特徴Ａ４に記載の遊技機。
【００６１】
本特徴に示す構成では、第２配線を結束して、第２配線の配線ルートのスリム化が図られる。
【００６２】
［特徴Ａ６］
前記結束バンドは、前記第２配線を結束する結束状態と、前記第２配線の結束を解除する解除状態と、に可逆的に変化する、特徴Ａ５に記載の遊技機。
【００６３】
本特徴に示す構成では、第２配線の配線ルートからの着脱が可能となるので、配線カバーのベース部材への組み付けや第２配線ルート形成部への第２配線の取り回しが容易となる。
【００６４】
［特徴Ａ７］
前記配線カバーは、
前記ベース部材に重ねられる主壁（プレート部４１）と、
前記主壁から前記ベース部材に向かって突出して前記ベース部材に突き当てられる突当壁（突当壁４３）と、を有する、特徴Ａ３乃至Ａ６のうち何れか１に記載の遊技機。
【００６５】
本特徴に示す構成では、配線カバーとベース部材との間に、第１配線の配線ルートを形成するスペースを確保することが可能となる。
【００６６】
［特徴Ａ８］
前記突当壁は、前記主壁の外縁部に沿って間隔をあけて複数備えられ、
それら突当壁どうしの間に、前記第１配線ルート形成部に前記第１配線を引き回すための又は前記第１配線ルート形成部から前記第１配線を引き出すための出入口（配線出入口４５）が形成されている、特徴Ａ７に記載の遊技機。
【００６７】
本特徴に示す構成では、出入口の高さを突当壁の高さ以上にすることが可能となる。
【００６８】
［特徴Ａ９］
第１配線（第１配線Ｌ１）と、
前記第１配線とは異なる第２配線（第２配線Ｌ２）と、を有する遊技機（遊技機１０）において、
前記第１配線の配線ルートを形成する第１配線ルート形成部（第１配線ルート形成部７１）と前記第２配線の配線ルートを形成する第２配線ルート形成部（第２配線ルート形成部８１）を重ねて備えている、遊技機。
【００６９】
本特徴に示す構成では、２つの配線の配線ルートが重ねられるので、配線ルートの省スペース化が図られる。
【００７０】
なお、特徴Ａ９に示される構成に、特徴Ａ１〜Ａ８に示される構成が組み合わされてもよい。
【符号の説明】
【００７１】
１０    遊技機
１７    機構枠
１７Ａ    主盤
４０    配線カバー
７１    第１配線ルート形成部
８１    第２配線ルート形成部
Ｌ１    第１配線
Ｌ２    第２配線
【図１】
2020032006.tif 000003
【図２】
2020032006.tif 000004
【図３】
2020032006.tif 000005
【図４】
2020032006.tif 000006
【図５】
2020032006.tif 000007
【図６】
2020032006.tif 000008
【図７】
2020032006.tif 000009
【図８】
2020032006.tif 000010
【図９】
2020032006.tif 000011
【図１０】
2020032006.tif 000012
【図１１】
2020032006.tif 000013
【図１２】
2020032006.tif 000014
【図１３】
2020032006.tif 000015
【図１４】
2020032006.tif 000016
【図１５】
2020032006.tif 000017
【図１６】
2020032006.tif 000018